(57)【要約】【課題】脱臭剤は、種々のものが知られ市販もされている。例えば、活性炭のような臭いの成分を吸着するタイプ、酸やアルカリの溶液のように臭いの成分を分解するか中和するタイプ等である。しかし、従来の脱臭剤では脱臭能力が限られており、発明者が種々実験しても満足するような効果を発揮するものはなかった。【解決手段】ヒノキの破砕物とコーヒー殻の炭化物とを、どちらも少なくとも１０重量％以上混合した脱臭剤、及びヒノキの破砕物とコーヒー殻の炭化物とを、どちらも少なくとも１０重量％以上混合したものを熱水に浸漬し、一定時間後その液体部分を取り出したもの、更にヒノキの破砕物とコーヒー殻の炭化物とを、どちらも少なくとも１０重量％以上混合した脱臭剤を通気性ある袋に詰めたもの。【選択図】  なし【特許請求の範囲】
【請求項１】
ヒノキの破砕物とコーヒー殻の炭化物とを、どちらも少なくとも１０重量％以上混合したことを特徴とする脱臭剤。
【請求項２】
更に茶殻を混合したものである請求項１記載の脱臭剤。
【請求項３】
ヒノキの破砕物とコーヒー殻の炭化物とを、どちらも少なくとも１０重量％以上混合したものを熱水に浸漬し、一定時間後その液体部分を取り出したものであることを特徴とする脱臭剤。
【請求項４】
ヒノキの破砕物とコーヒー殻の炭化物とを、どちらも少なくとも１０重量％以上混合した脱臭剤を通気性ある袋に詰めたことを特徴とする脱臭具。
【発明の詳細な説明】
【技術分野】
【０００１】
本発明は、脱臭剤及び脱臭具に関するものである。
【背景技術】
【０００２】
脱臭剤は、種々のものが知られ市販もされている。例えば、活性炭のような臭いの成分を吸着するタイプ、酸やアルカリの溶液のように臭いの成分を分解するか中和するタイプ等である。
【０００３】
また、このような脱臭剤を種々の容器、一般にはプラスチック容器に充填されて市販されている。
【発明の開示】
【発明が解決しようとする課題】
【０００４】
しかし、従来の脱臭剤では脱臭能力が限られており、発明者が種々実験しても満足するような効果を発揮するものはなかった。
【課題を解決するための手段】
【０００５】
以上のような状況に鑑み、本発明者は鋭意研究の結果本発明脱臭剤及び脱臭具を完成させたものであり、その特徴とするところは、脱臭剤にあっては、ヒノキの破砕物とコーヒー殻の炭化物とを、どちらも少なくとも１０重量％以上混合した点にあり、他の態様では、ヒノキの破砕物とコーヒー殻の炭化物とを、どちらも少なくとも１０重量％以上混合したものを熱水に浸漬し、一定時間後その液体部分を取り出したものである点にあり、脱臭具にあっては、ヒノキの破砕物とコーヒー殻の炭化物とを、どちらも少なくとも１０重量％以上混合した脱臭剤を通気性ある袋に詰めた点にある。
【０００６】
ヒノキの破砕物とは、ヒノキの間伐材（通常の木材でもよい）を１〜１０ｍｍ程度に破砕したもの又はより細かく粉砕したものである。容器から散逸するおそれがあるので、粉体より１ｍｍ以上のものが好適である。破砕する方法はどのようなものでもよい。鋸屑でも、破砕機で破砕したものでもよい。
【０００７】
ヒノキを用いた理由は、ヒノキにはヒノキチオール等の成分が知られており、それが人間の気分を和らげたり、殺菌効果もあるためである。また、吸着効果や臭いの成分を分解する効果もあると考えられる。
【０００８】
コーヒー殻の炭化物とは、コーヒー抽出液抽出残渣であり搾り粕を炭化したものである。炭化とは炭状にすることであり、いわゆるコーヒー殻の炭である。炭にする方法は自由であり、乾燥させてその後バーナーで加熱する等である。要するに炭にすればいいのである。
【０００９】
このコーヒー殻の炭化物とヒノキとを混合するのであるが、どちらも少なくとも１０重量％以上は混合する。一方が極端に少ないと相乗効果が発揮されない。発明者の実験ではヒノキを多くした方がよかった。
【００１０】
また、この混合物に茶殻の乾燥したものを加えてもより効果があった。加える量としては、少なくとも１０重量％である。
【００１１】
更に、上記の本発明脱臭材の使用は特に限定しない。例えば、手に乗る程度のサイズの紙や不織布の袋に充填して、車やトイレに吊るしたり、冷蔵庫内に載置すれば簡単な脱臭具となる。車や部屋の空気清浄機に設けたり、それらのフィルターに設けてもよい。
【００１２】
また、本発明脱臭材を目の細かい布袋等に入れて薄い布団上にして、病人の布団下や上に載置することもできる。特に寝たきりの人には好適である。勿論、健康な人にとっても湿気を吸収してさらっとした感じを与えるので快適である。
【００１３】
更に、ペットのトイレや小屋のそばに置いておくことも好適である。また、脱臭剤自体を単に猫のトイレに撒いてもよいし、トイレの容器内に収納するようにしてもよい。
【００１４】
また、本発明の別の態様では、ヒノキの破砕物とコーヒー殻の炭化物とを、どちらも少なくとも１０重量％以上混合したものを熱水に浸漬し、一定時間後その液体部分を取り出したものである。即ち、抽出液である。
この抽出液は水でよい。通常のお茶のようにすればよい。例えば、７０〜１００℃の水に入れて、自然冷却すればよい。抽出の量は自由であり、少なければ効果が小さいだけである。通常は５００ｍＬに１０〜４０ｇ程度入れるとよい。
【００１５】
この抽出液を霧吹き（スプレー）で、消臭したい場所で噴霧すればよい。例えば、トイレ内、自動車内等である。また、ベッドや布団等に噴霧してもよい。
【００１６】
更に本発明脱臭具は、請求項１記載の脱臭剤を通気性ある袋に詰めたものである。通気性ある袋とは、紙、不織布、布等による袋である。中の詰め物が漏れない程度の目の粗さでよい。
この袋には、紐やその他の固着具を設けてもよい。
【発明の効果】
【００１７】
本発明脱臭剤には次のような大きな利点がある。
（１）  大きな脱臭効果を発揮する。
（２）  非常に安価である。
（３）  ヒノキの間伐材を使用し、コーヒー殻の炭化物を使用すれば、資源の無駄がなくなる。
（４）  比較的長く効果が持続する。
【発明を実施するための最良の形態】
【００１８】
以下実施例に沿ってより詳細に説明する。
【実施例】
【００１９】
実施例１
ヒノキの間伐材を２〜８ｍｍ程度に破砕したもの７０重量％、コーヒー殻の炭化物３０重量％を混合した。コーヒー殻の炭化物は細かいため、非常に目の細かい不織布の袋に入れた。全体の重量は約１０ｇであった。
財団法人日本食品分析センターでこの袋詰脱臭剤の効果を測定した。
【００２０】
試験方法は下記の通りである。
試薬及び器具
におい袋として、有限会社ミヤコビニル加工所製プラスチック製容器（２５×４０ｃｍ）を用いた。
アンモニア水は、小宗化学薬品株式会社製（２８％、特級）を用いた。
トリメチルアミン水溶液は、東京化成工業株式会社製（２８％、特級）を用いた。
ガス検知管は株式会社ガステックのものを用いた。
また、参照（対照品）として、上記実施例の脱臭剤のない袋だけを用いた。
操作：
実施例袋詰脱臭剤と対照品それぞれを、におい袋に入れ、ヒートシールした後、空気３Ｌを封入し、ガス濃度が約５００ｐｐｍとなるようにアンモニアを添加した。これを室温下で放置し、３０分後にガス検知管によりにおい袋内のガス濃度を測定した。
【００２１】
結果は、アンモニアは実施例では１０ｐｐｍ以下、対照品では４７０ｐｐｍ、空試験では５００ｐｐｍであった。この結果から、本実施例は十分アンモニア臭の脱臭効果があることが分かった。
【００２２】
また、トリメチルアミンについては５０ｐｐｍとして行なった。更に、実施例も対照品も入れずに同様の操作を行ないこれを空試験とした。
【００２３】
トリメチルアミンの結果は、３０分後で１５ｐｐｍ、１時間後で８ｐｐｍ、３時間後で２ｐｐｍ、６時間後では１ｐｐｍ以下となった。
また、対照品や空試験では６時間後でも５０ｐｐｍ程度であった。この結果から、本実施例は十分トリメチルアミン臭の脱臭効果があることが分かった。
【００２４】
更に、同様の実施例を家庭のトイレの片隅に置いた。約１時間でトイレの臭いがほぼしなくなった。
【００２５】
そして、この状態で１ヶ月実験を続けたが、ほとんど効果は変わらなかった。即ち、手のひらに乗る程度で十分使用に耐えるだけの寿命があるということである。